【手続補正書】
【提出日】平成15年9月11日(2003.9.11)
【手続補正１】
【補正対象書類名】明細書
【補正対象項目名】特許請求の範囲
【補正方法】変更
【補正の内容】
【特許請求の範囲】
【請求項１】
地図の描画領域を設定する地図描画領域設定手段と、
地図データを記憶する地図記憶手段と、
前記地図描画領域設定手段により設定された領域の地図を前記地図記憶手段より読み出して描画する地図描画手段と、
検索対象から情報を検索するための少なくとも検索対象属性を含む検索範囲を設定する検索範囲設定手段と、前記検索範囲設定手段により設定された検索範囲を送信するデータ送信手段と、
前記データ送信手段により送信された検索範囲に従って検索された１つ以上の個別情報を含み、かつ各々の個別情報には少なくとも地図上の位置に関する情報を含む外部から送られてくるデータを受信するデータ受信手段と、
前記データ受信手段により受信したデータに含まれる個別情報に応じたアイコンを設定するアイコン設定手段と、
前記個別情報に含まれる地図上の位置に関する情報により前記アイコン設定手段で設定されたアイコンの描画位置を定めて、前記地図描画手段により描画された地図上に重ねて描画するアイコン描画手段と、
複数のアイコンを格納するアイコン格納手段と、
前記アイコン格納手段に必要とするアイコンの有無を判定するアイコン有無判定手段とを備え、
前記アイコン有無判定手段により必要とするアイコンが有ると判定された場合には、前記アイコン設定手段によって設定されるアイコンを前記アイコン格納手段内から選択し、
前記アイコン有無判定手段により必要とするアイコンが無いと判定された場合は、該当するアイコンの送信要求を前記データ送信手段を用いて送信すること
を特徴とする情報表示装置。
【請求項２】
地図の描画領域を設定する地図描画領域設定手段と、
地図データを記憶する地図記憶手段と、
前記地図描画領域設定手段により設定された領域の地図を前記地図記憶手段より読み出して描画する地図描画手段と、
検索対象から情報を検索するための少なくとも検索対象属性を含む検索範囲を設定する検索範囲設定手段と、前記検索範囲設定手段により設定された検索範囲を送信するデータ送信手段と、
前記データ送信手段により送信された検索範囲に従って検索された１つ以上の個別情報を含み、かつ各々の個別情報には少なくとも地図上の位置に関する情報を含む外部から送られてくるデータを受信するデータ受信手段と、
前記データ受信手段により受信したデータに含まれる個別情報に応じたアイコンを設定するアイコン設定手段と、
前記個別情報に含まれる地図上の位置に関する情報により前記アイコン設定手段で設定されたアイコンの描画位置を定めて、前記地図描画手段により描画された地図上に重ねて描画するアイコン描画手段とを備え、
前記個別情報は更にアイコンを含むと共に、前記アイコン設定手段は個別情報に含まれるアイコンを設定することを特徴とする情報表示装置。
【請求項３】
請求項１又は２に記載の情報表示装置において、
前記データ受信手段により受信したデータの検索対象地域と該データを受信した時刻を関連して記憶し、
既に受信したデータの存在範囲とその受信時刻を描画することを特徴とする情報表示装置。
【請求項４】
地図データを記憶する地図記憶手段と、
前記地図記憶手段より表示する地図データを読み出して地図を描画する地図描画手段と、
１つ以上の個別情報を含み、かつ各々の個別情報は少なくともアイコン情報と追加情報とを含むデータを受信するデータ受信手段と、
前記データ受信手段により受信したデータに含まれる個別情報毎に、個別情報に含まれるアイコン情報よりアイコンを設定するアイコン設定手段と、
前記個別情報毎に前記アイコン設定手段で設定されたアイコンを描画する前記地図上の位置を設定して描画するアイコン描画手段と、
前記個別情報を各々該当するアイコンの描画位置と共に記憶する記憶手段と、
前記アイコン描画手段によって描画されたアイコンの選択入力を受け付けるアイコン選択手段とを備え、
前記アイコン選択手段により選択されたアイコンに該当する個別情報を前記記憶手段から取り出して、当該個別情報に含まれる追加情報を描画することを特徴とする情報表示装置。
【請求項５】
ネットワークを介して接続された情報提供サーバから送信されたデータを得る個別情報受信手段と、
前記個別情報受信手段により得られた情報を記憶する情報記憶手段と、
前記個別情報受信手段により得られた情報を前記情報記憶手段に格納する個別情報更新手段と、
個別情報の検索範囲を受信するためのデータ受信手段と、
前記データ受信手段により得られる個別情報の検索範囲に従って前記情報記憶手段に記憶されたデータを検索するデータ検索手段と、
前記データ検索手段により取り出された１つ以上の個別情報をまとめるデータ加工手段と、
前記データ加工手段によりまとめられた前記データ検索手段の検索結果を送信するデータ送信手段と、
情報提供サーバのアドレス，提供している情報の種類，アクセス方法を情報提供サーバ毎に記憶したサーバ情報格納手段と、
前記サーバ情報格納手段に登録された情報提供サーバの中から個別情報を提供するサーバを設定し、当該設定された情報提供サーバにアクセスして情報の提供を要求する個別情報要求手段と、を備え、
ネットワーク上の情報提供サーバから提供される個別情報を入手して個別情報の更新を行うことを特徴とする情報提供装置。
【請求項６】
請求項５に記載の情報提供装置において、
前記個別情報要求手段は、あらかじめ設定された時間が経過する度に情報提供サーバにアクセスして個別情報を入手し、個別情報の更新を行うことを特徴とする情報提供装置。
【請求項７】
請求項５に記載の情報提供装置において、
前記個別情報要求手段は、前記データ受信手段により受信した個別情報の検索範囲をもとに個別情報を入手する情報提供サーバを設定すると共に、該当する情報提供サーバにアクセスして最新の個別情報を入手して、個別情報の更新を行うことを特徴とする情報提供装置。
【請求項８】
請求項５に記載の情報提供装置において、
前記情報記憶手段に記憶する個別情報のフォーマットを設定する定型フォーマット設定手段と、
前記情報記憶手段に記憶する個別情報のデータの属性を限定する選別対象データ設定手段と、を備え、
前記記憶手段に前記データ受信手段で入手した情報提供サーバからの個別情報を記憶する場合、情報を前記定型フォーマット設定手段に設定されたフォーマットに変更し、個別情報のうち前記選別対象データ設定手段で設定された属性の情報を前記情報記憶手段に記憶することを特徴とする情報提供装置。
【請求項９】
請求項５に記載の情報提供装置において、
前記データ受信手段により受信するデータは、情報量変更要求有無情報を含むと共に、
前記データ加工手段は、情報量変更要求有の場合は、前記情報検索手段より得られた個別情報を削減し、
前記データ送信手段は、当該情報量が削減された個別情報を検索結果として送信することを特徴とする情報提供装置。
【請求項１０】
地図を表示し目的地までの誘導を行うナビゲーション装置において、
地図データを記憶するための記憶装置と、
表示情報の検索領域の範囲を検索条件として設定する検索条件設定手段と、
前記検索条件を情報提供装置へ送信し、前記情報提供装置で前記検索条件に応じて検索された施設が提供する施設情報と位置情報と、当該施設情報に対応付けられ前記地図上に表示するアイコンの情報を含む情報を受信するための通信装置と、
前記受信した施設情報の位置情報に対応する前記地図上の位置に前記アイコンを描画するためのアイコン描画手段を備えたことを特徴とするナビゲーション装置。
【請求項１１】
ナビゲーション装置に情報を送る情報提供装置において、
ネットワークを介して情報提供サーバから送られてくる情報を、所定の定型フォーマットに従って格納する情報のフォーマットを設定し、情報の属性毎に情報の更新を行う個別情報交信手段と、
ナビゲーション装置から情報の検索要求を受け付ける通信手段と、
前記検索要求に含まれる検索条件に基づき検索を行い、この検索結果の情報を応答する際に、当該検索要求を送ったナビゲーション装置の状況に関する情報を入手し、このナビゲーション装置の状況に関する情報に応じて応答する情報量を変える情報加工手段を備えることを特徴と情報提供装置。